【事件の表示】
　特願２０１３−６５３０「熱抑制したデンプン及びフラワー並びにその製造のための方法」拒絶査定不服審判事件〔平成２５年４月２５日出願公開、特開２０１３−７６０９０〕について、次のとおり審決する。
【結　論】
　本件審判の請求は、成り立たない。
【理　由】
第１　手続の経緯
　本願は，１９９５年１月１８日（パリ条約による優先権主張　外国庁受理　１９９４年７月２９日　世界知的所有権機関（ＷＯ）　１９９４年８月２５日　米国（ＵＳ））を国際出願日とする特願平８−５０６４５０号の一部を新たな特許出願とした特願２００６−２４２００９号の一部をさらに新たな特許出願とした特願２０１０−１７４０１２号の一部をさらに新たな出願としたものであって，平成２５年１月２９日に手続補正書が提出され，平成２５年５月１０日付けで拒絶理由が通知され，同年１１月１４日に意見書及び手続補正書が提出されたが，同年１２月１０日付けで拒絶査定がされ，これに対して平成２６年４月１７日に審判請求がなされたものである。
　
第２　本願発明
　本願の請求項１に係る発明（以下「本願発明」という。）は，平成２５年１１月１４日付けの手続補正により補正された特許請求の範囲の請求項１に記載された以下のとおりのものである。
　
「架橋されたデンプン又は穀粉の代わりに熱抑制された、α化していない顆粒デンプン又は穀粉を含む組成物の製造方法であって、
（ａ）顆粒デンプン又は穀粉を１重量％未満の水分含量となるまで脱水し；そして
（ｂ）この１重量％未満の水分含量のα化していない顆粒デンプン又は穀粉を100℃以上の温度で最大20時間加熱処理する；
　ことを含んで成る方法。」
　
第３　原査定の理由
　原査定の理由は，本願発明は，本願の優先日前に外国において頒布された下記刊行物１に記載された発明であるから，特許法第２９条第１項第３号に該当し，特許を受けることができないという理由を含むものであって，その刊行物１として，
　刊行物１：Journal of Applied Polymer Science，1967年，Vol.11  pp.1283-1288
が引用されている。
　
第４　当審の判断
１　刊行物１の記載事項
　本願優先日前に頒布された刊行物１には，日本語にして以下のことが記載されている。なお，訳文は当審訳である。
　
（１ａ）「概要
　デンプンと様々な塩基との乾燥混合物を空気中で焙焼した。焙焼の効果は粘度法によって測定した。試験結果は，アルカリ性のpHでの焙焼によって共有架橋結合が生じることを示唆している。自動酸化とアルドール化が複合した結果，架橋結合が起こるというのが，著者の推測である。」（第１２８３頁第４〜８行）
（１ｂ）「私の行った先行実験からは，乾燥デンプンを空気中でアルカリ性のpHで加熱すると，共有架橋結合が生じるという驚くべき結論が示唆されている。」（第１２８３頁第１０〜１２行）
（１ｃ）「手順
　手順には，デンプンと塩基の乾燥混合物を薄い層にして140〜160℃で加熱することと，その後の粘度法による焙焼効果の測定が含まれていた。
　代表的な2種類の生成物を得るための以下の指示によって，手順が説明される。市販のコーンスターチ1000g（pH4.9）と0.3％の重炭酸ナトリウムを含む1500mlの溶液（含浸液）を約1/2時間攪拌する。・・・吸引装置を使用してブフナー漏斗を通して濾過する。濾過ケーキを細かく砕いて，50℃に設定した強制空気循環炉で一晩乾燥させる。130℃に設定した熱対流炉に4時間入れて加熱して，水分含量を測定する―喪失重量からその水分含量を計算する（7％と判明）。試料のpH（当初pH）の測定も行う（9.9と判明）。試料をレイモンド式ハンマーミルに入れて，微粉になるまで挽く。粉末（約3/16インチの厚さの層にして拡げる）を室温の強制空気循環炉内に置く。炉の温度を出来るだけ早く（約1時間）上げて140度にし，この温度を維持する（焙焼温度）。炉の温度が最初に140℃に達した時点で，試料の水分含有量を測定する（0％と判明）。炉の温度が140℃に達してから6時間後に，試料の半量（生成物Ｉ６，表I）を炉から取り出し，そのpHを測定する（最終pH；8.0と判明）。2時間後に試料の残量（生成物Ｉ８）を炉から取り出し，そのpHを測定する（7.7と判明）。C. W. ブラベンダー社のVisco-Amylo-Graph装置によって生成物の粘度を測定する。―試料Ｉ６の一部で作った水性懸濁液を準備して，酢酸によってpHを3.0に調節し，水を加えて試料Ｉ６の濃度を6％（乾燥ベース）に調節し，懸濁液をデンプン粘度記録装置に入れて，自動攪拌（75回転/分の定速で）を開始して連続的な攪拌を維持しつつ，1.5℃/分の割合で温度を25℃から95℃まで上げて（95℃に達するのに47分必要），95℃の温度を60分間保ち，機械に粘度対時間の連続的なグラフを描かせる。同様にして，生成物Ｉ８についても粘度を測定する。」（第１２８３頁第２６行〜次頁第２１行）
（１ｄ）「
図1.　粘度測定中の時間による粘度の変化。分散系には6％のスターチが含まれており，そのpHは3.0。生成物についての説明は表１を参照のこと。」（第１２８５頁FIG.１）
（１ｅ）「生成物Ｉ６（図１）は，その上昇と下降が共に遅いという点でＡに似ており，生成物Ｉ８は，上昇が遅く下降が見られないという点でＢに似ている。（Ｉ６とＩ８が焙焼中に僅かに分解されたことが，ＡとＢに比べて最大値が小さいことの説明になるであろう。）これらの実験（及び報告はしていない一連の類似した実験）は，アルカリ焙焼によって共有架橋結合が生成されることを示唆している。」（第１２８５頁第３〜７行）
（１ｆ）「その他の（未報告の）実験からの私の更なる仮の結論を申し上げると，（1）すべての塩基は共有架橋結合に触媒作用を及ぼす―燐酸三ナトリウム，燐酸二ナトリウム及び炭酸ナトリウムも，明らかに架橋結合を生成した。（2）pHにより架橋結合の率が減少する―当初pH10.5（試みた最大値）から減少し，7でほとんど0になり，酸性のpHではそのままだった。（3）架橋結合の濃度は焙焼時間が延びれば増加する―例えば，Ｉ８はＩ６よりも架橋結合の度合いが強い。（4）アルカリ焙焼はどのようなタイプのスターチにも架橋結合を起こす―ポテトやワキシーメイズデンプンにも架橋結合が現れた。（5）架橋結合の率が温度によって増加する―160℃では，140℃の明らかに８倍の率を示す。（6）架橋結合は酸化反応を含む―酸化防止剤（例えば，亜硫酸ナトリウム）の添加によって架橋結合は明らかに遅延する。」（第１２８５頁下から３行〜次頁第１０行）
　
２　刊行物１に記載された発明
　刊行物１には，「市販のコーンスターチ・・・と・・・重炭酸ナトリウムを含む・・・の溶液・・・を・・・攪拌する・・・濾過する。濾過ケーキを細かく砕いて，・・・強制空気循環炉で一晩乾燥させ・・・130℃に設定した熱対流炉に4時間入れて加熱し・・・試料を・・・微粉になるまで挽く。粉末・・・を室温の強制空気循環炉内に置く。炉の温度を・・・上げて140度にし，この温度を維持する（焙焼温度）。炉の温度が最初に140℃に達した時点で，試料の水分含有量を測定する（0％と判明）。炉の温度が140℃に達してから6時間後に，試料の半量（生成物Ｉ６，表I）を炉から取り出し，・・・2時間後に試料の残量（生成物Ｉ８）を炉から取り出」ことが記載されている（摘記１ａ参照）。
　そうすると，刊行物１には，
「市販のコーンスターチを重炭酸ナトリウム溶液と撹拌し，濾過後，砕いて乾燥させ，130℃に設定した熱対流炉に4時間入れて加熱し，試料を，微粉になるまで挽き，そうして得られた粉末を，室温の強制空気循環炉内に置き，炉の温度を約1時間で140度まで上げ，炉の温度が最初に140℃に達した時点での水分含有量を測定し0％であることを確認し，この温度を維持して焙焼し，炉の温度が140℃に達してから6時間又は8時間後に炉から試料を取り出す方法」の発明（以下「引用発明」という。）が記載されているといえる。
　
３　対比
　本願発明と引用発明とを対比する。
　引用発明の「市販のコーンスターチ」は，本願発明の「顆粒デンプン」に相当する。
　また，引用発明の「粉末を，室温の強制空気循環炉内に置き，炉の温度を約1時間で140度まで上げ，炉の温度が最初に140℃に達した時点での水分含有量を測定し0％であることを確認」することは，水分量が０％になったのであるから，本願発明の「顆粒デンプン又は穀粉を１重量％未満の水分含量となるまで脱水」することに相当する。
　さらに，引用発明の「この温度を維持して焙焼し，炉の温度が140℃に達してから6時間又は8時間後に炉から試料を取り出す」ことは，本願発明の「この１重量％未満の水分含量のデンプンを100℃以上の温度で最大20時間加熱処理する」ことに相当する。
　そうすると，両者はともに，
「デンプン又は穀粉を含む組成物の製造方法であって，
（ａ）顆粒デンプン又は穀粉をを１重量％未満の水分含量となるまで脱水し；そして
（ｂ）この１重量％未満の水分含量の顆粒デンプンを100℃以上の温度で最大20時間加熱処理する；
　ことを含んで成る方法。」である点で一致し，以下の点で一応相違している。
　
（ｉ）本願発明では，得られる「デンプンの組成物」が「架橋されたデンプン又は穀粉の代わりに熱抑制された、α化していない顆粒デンプン」であるのに対して，引用発明においては，その点が明確にされていない点（以下「相違点」という。）
　
４　相違点の検討
　上記相違点には，「架橋されたデンプン又は穀粉の代わりに」，「熱抑制された」及び「α化していない」，「顆粒」との構成要件を含んでいるので，これらについて順次検討する。
　
（１）「架橋されたデンプン又は穀粉の代わりに」について
　本願発明における「架橋されたデンプン又は穀粉の代わりに」とは，本願発明から「架橋されたデンプン又は穀粉」が除外されていることを意味するものといえる。
　引用発明の原料である「市販のコーンスターチ」は，トウモロコシから得られたデンプンで，架橋されたものでもないことは明らかである。
　一方，引用発明の「市販スターチ」を引用発明のように処理して最終的に得られたデンプンがどのようなものであるかについて検討する。
　刊行物１には，引用発明の処理によって得られるデンプンが「架橋結合」されたものと推測される旨記載されている（摘記１ａ，１ｂ，１ｅ，１ｆ参照）が，これらの記載は「架橋結合が起こるというのが，著者の推測である」（摘記１ａ参照），「その他の（未報告の）実験からの私の更なる仮の結論を申し上げると」（摘記１ｆ参照）と記載されるように，あくまでも刊行物１の著者の推測として記載されているにすぎす，実際に得られたデンプンが架橋結合されたものであることが確認されているわけではない。
　一方，平成２５年１１月１４日付けの意見書に添付された「実験データー」によれば，本発明の熱的抑制方法により調製したデントデンプンは，架橋されていないと結論づけられるデータが示されている。上記意見書では，発明の熱的抑制方法により調製したデントデンプンの調製方法が記載されてはいないが，本願明細書に記載される製造方法は，実施例１では，「市販の顆粒ワキシーメイズデンプンからの本発明のデンプンの調製を例示する。」，「熱安定性不粘着性増粘剤を得るため、顆粒デンプンのサンプルを 1.5部の水の中でスラリー化し、そのスラリーのpHを５％のNa3CO3溶液の添加により調整し、次いでそのスラリーを１時間撹拌し、次いで濾過、乾燥及び粉砕した。ドライデンプンサンプル(150ｇ）をアルミホイル製パン（４″×５″× 1.5″）の中に入れ、そして慣用のオーブンの中で表Ｉ及びIIに記載の条件下で加熱した。」と記載され（【００５２】，【００５４】参照），表Ｉには，サンプル６として温度１６０℃，ｐＨ８．２，加熱時間６時間のものが記載されている。
　そうすると，本願明細書の実施例１の記載を参考にすれば，「実験データー」で測定した「本発明の熱的抑制方法により調製したデントデンプン」とは，トウモロコシデンプンにアルカリ水溶液を添加し，撹拌し，濾過，乾燥し，粉砕して得られた試料をオーブン内で，温度１６０℃，ｐＨ８．２，６時間又は８時間加熱することにより得られたものということができる。
　そして，この製造方法は，引用発明の「市販のコーンスターチを重炭酸ナトリウム溶液と撹拌し，濾過後，砕いて乾燥させ，130℃に設定した熱対流炉に4時間入れて加熱し，試料を，微粉になるまで挽き，そうして得られた粉末を，室温の強制空気循環炉内に置き，炉の温度を約1時間で140度まで上げ，炉の温度が最初に140℃に達した時点での水分含有量を測定し0％であることを確認し，この温度を維持して焙焼し，炉の温度が140℃に達してから6時間又は8時間後に炉から試料を取り出す方法」（6時間で取り出された試料のｐＨは８．０である（摘記１ｃ参照））と，実質的に同じ製造方法であるということができるから，引用発明の「市販スターチ」を引用発明のように処理して最終的に得られたデンプンも，上記意見書に記載された「本発明の熱的抑制方法により調製したデントデンプン」と同じ性質を有することになり，引用発明のデンプンも「架橋されたデンプン」ではないと推認することができる。
　そうすると，引用発明も本願発明の「架橋されたデンプン又は穀粉の代わりに」との構成要件を満たしているということができる。
　
（２）「熱抑制された」について
　本願明細書には，「熱抑制」に関連して以下の記載がある。
（ａ）「本発明のデンプン及び穀粉は，化学試薬を添加することなく，化学架橋化デンプンの特徴を有するデンプン又は穀粉をもたらす方法において熱抑制されている。これらの熱抑制化デンプン及び穀粉を92〜95℃及びpH３の水の中に５〜6.3％の無水固形分として分散させると，それらは抑制化デンプンの特徴的な性質を示す：即ち，実質的に完璧に抑制されたデンプン及び穀粉は糊化に耐えるであろう；高度に抑制されたデンプン及び穀粉は一定の度合いまでしか糊化せず，そして粘度の連続上昇を示すであろうが，ピーク粘度にまでは達しないであろう；中程度に抑制されたデンプン及び穀粉は，抑制されていない同じデンプンと比べ，低めのピーク粘度及び低めのパーセント粘度低下を示すであろう；並びに，わずかに抑制されたデンプン及び穀粉は，コントロールデンプンと比べ，若干のピーク粘度上昇及び低めのパーセント粘度低下を示すであろう；という性質。」（【００１０】）
（ｂ）「
ブラベンダーデーターによる抑制の特性決定
　熱抑制化デンプンの特性決定を，水の中に分散させて糊化させた後のその粘度の測定値を参照することにより詳しく行う。粘度を測定するのに用いる装置はブラベンダーVISCO／Amylo／GRAPH（C.W．Brabender instruments，Inc.，Hackensack，NJにより製造）とする。…VISCO／Amylo／GRAPHは，デンプンスラリーをプログラム式加熱サイクルにかけたときに生ずる粘度のバランスをとるのにかかるトルクを記録する。非抑制デンプンについては，そのサイクルは，通常約60〜70℃での粘度上昇の開始，65〜95℃の範囲におけるピーク粘度の発生，及びそのデンプンを通常92〜95℃の高温に保ったときの任意の粘度低下を経る。この記録は，ブラベンダー単位（BU）で表わす任意測定単位で，加熱サイクルを通じて粘度を追尾した曲線より成る。
　抑制化デンプンは，抑制されていない同じデンプン（以下，コントロールデンプン）との曲線とは異なるブラベンダー曲線を示すであろう。低レベルの抑制では，抑制デンプンはコントロールのピーク粘度よりも若干高いピーク粘度に達し，そしてコントロールに比して，粘度の％低下の減少はないであろう。抑制度が高まると，ピーク粘度及び粘度低下は下降する。高レベルの抑制では，糊化速度及び顆粒の膨潤率は低下し，ピーク粘度は消失し，そして長時間加熱すると，ブラベンダートレースは上昇曲線を描き，粘度のゆっくりとした連続上昇を示唆する。非常に高レベルの抑制では，デンプン顆粒はもはや糊化しなくなり，そしてブラベンダー曲線は平らであり続ける。」（【００３７】〜【００３８】）
（ｃ）「
ブラベンダー手順
　・・・
　ブラベンダー曲線からのデーターを用い，抑制は，水の中に５〜6.3％の固形分において92〜95℃でpH３で分散させたときに，ブラベンダー加熱サイクルの際に，ブラベンダーデーターが，（ｉ）粘度上昇なし又はほぼ粘度上昇なし（デンプンは抑制され，しかも糊化しなかった，又は糊化に強く耐えたことを示す）；（ii）ピーク粘度のない連続上昇式粘度（デンプンが高度に抑制され，且つ一定の度合いまで糊化したことを示す）；（iii）コントロールに比しての低めのピーク粘度及び低めのパーセント粘度低下（中程度の抑制を示す）；又は（iv）コントロールに比しての若干のピーク粘度の上昇及び低めのパーセント低下（低レベルの抑制を示す）；を示したときに，抑制があったものと決定した。」（【００４７】〜【００５１】）
　
　そこで，このような「熱抑制デンプン」の特性に関する本願明細書の記載を踏まえて，引用発明の処理によって得られるデンプンが本願発明で規定している「熱抑制デンプン」に該当するものであるか否かについて検討する。
　刊行物１には，引用発明の係る焙焼処理後のデンプンについて，C. W. ブラベンダー社のVisco-Amylo-Graph装置によって測定された粘度特性を示す曲線が図１として示されている（摘記１ｄ参照）。そして，刊行物１において曲線を描くのに使用された装置は，本願明細書において使用されている「ブラベンダーVISCO／Amylo／GRAPH」と同じものであると認められるので，本願明細書において記載されている「熱抑制デンプン」の粘度特性に関する記載を，刊行物１の図１で示されている粘度特性と照らして検討する。（なお，本願明細書における「ブラベンダー曲線」は，刊行物１の図１に示された曲線のことを意味する用語であると解することができる。）
　まず，刊行物１の図１で示されたＩ６（６時間焙焼）及びＩ８（８時間焙焼）の曲線を，先に摘記した本願明細書の（ａ）〜（ｃ）に記載された「熱抑制された」デンプンが示すとされる粘度特性と照らして検討すると，刊行物１のＩ６及びＩ８は，いずれも本願明細書にいう「中程度に抑制された」デンプンに相当するものと認められる。
　すなわち，刊行物１の図１に示されたＩ６及びＩ８の曲線は，
　上記（ａ）における「中程度に抑制されたデンプン…は，抑制されていない同じデンプンと比べ，低めのピーク及び低めのパーセント粘度低下を示すであろう」なる表現にも，また，上記（ｂ）における「低レベルの抑制では，抑制デンプンはコントロールのピーク粘度よりも若干高いピーク粘度に達し，そしてコントロールに比して，粘度の％低下の減少はないであろう。抑制度が高まると，ピーク粘度及び粘度低下は下降する。」なる表現にも，さらに，上記（ｃ）における「（iii）コントロールに比しての低めのピーク粘度及び低めのパーセント粘度低下（中程度の抑制を示す）」なる表現にも，よく一致する曲線である。
　そして，このような粘度特性を示すデンプンが，本願明細書において「抑制があったものと決定」されることは，上記（ｃ）において，「ブラベンダーデーターが，…；（iii）コントロールに比しての低めのピーク粘度及び低めのパーセント粘度低下（中程度の抑制を示す）…；を示したときに，抑制があったものと決定した。」と記載されていることから明らかである。
　したがって，引用発明の処理により得られたデンプンは，本願発明に規定される「熱抑制された」ものであるということができる。
　
（３）「α化していない」，「顆粒」について
　本願発明において「α化していないデンプン」とし，さらに「顆粒デンプン」としていることによって，引用発明の処理により得られたデンプンと相違するものであるとされるか否かについて検討する。
　引用発明では，市販のコーンスターチを使用して，最終段階に到るまで，この分野でよく知られたα化処理，すなわち，水中での加熱処理をしていないものであるから，引用発明の処理によってはα化していないものと解される。
　また，「顆粒」についても，引用発明の処理により得られたデンプンは，懸濁状態で測定するVisco-Amylo-Graph装置を用いた粘度の測定が少なくとも可能であったので，懸濁容易な形態であって，実質的には「顆粒」になっていると推認できるものである。
　
（４）まとめ
　以上のとおりであるから，上記の相違点は，実質的な相違であるということはできず，本願発明と引用発明とは同一であると認めることができる。
　
５　請求人の主張について
（１）請求人の主張の要点
　請求人は，意見書，審判請求書で概ね以下の点を主張している。
　
ア　刊行物１の水分含有量に関する記載について
　（Ａ）２（審決注：「刊行物１」である。以下同じである。）の１２８３頁に「炉の温度が最初に140℃に達した時点で，試料の水分含有量を測定する（０％と判明）。」の記載は明らかに事実に反する記載である。（Ａ）２の著者であるMartin氏は彼の実験においてアルカリ焙煎デンプンが「分解」していると述べており，ここで，デンプンの140℃程度での温度での「分解」といえば通常その「加水分解」を意味するから，この記載は彼の実験において焙煎処理したデンプンは水分を含むことを自認しているといえる。
　
イ　刊行物１のデンプンの架橋に関する記載について
　（Ａ）２においては、その表題に、さらには内容全般にわたって、デンプンがアルカリ焙煎により架橋(Crosslinking)されていることが記載されているのに対し，本発明の熱的に抑制されたデンプンは架橋されておらず，本願発明は（Ａ）２とは架橋の有無の点で決定的に相違する。（Ａ）２における「架橋した」という事項が事実であるなら，（Ａ）２に記載の方法では何らかの理由、例えば水分が十分に脱水されてない状態で加熱処理を行ったなどの理由で，本発明のような熱的抑制されたデンプンが調製されなかったことが明らかである。
　
ウ　刊行物１の記載の信憑性について
　平成8年特許願第506460号の審査・審理手続きにおける意見書，手続補正書，回答書，上申書でも主張したとおり，（Ａ）２の開示に内容は以下の理由から明らかに信憑性を欠くものである。
（ア）Martin氏の実験を本願出願人の従業員であるTester氏が追試したが、Martin氏の実験結果（p1285のFig.1に示す粘度曲線）は再現できなかった（平成１８年１０月２６日の手続補正書（理由補充書）など）。
（イ）Martin氏は水分含量を０％にしたと述べておきながら、デンプンは加水分解した、との矛盾した記載を示している。当業者にとって、水分がないのに加水分解が生じるはずがないことは明らかである（平成２１年８月２０日の上申書など）。
（ウ）Tester氏はMartin氏が作成したデンプン層よりもさらに薄い層を調製して実験を行なったが、Martin氏の言うように水分含量０％を達成することはできなかった（平成１８年１０月２６日の手続補正書など）
（エ）0.3、0.4％のエピクロロヒドリンでは極めて高度に架橋されたデンプンが調製されてしまう。このように高度なレベルに架橋したデンプンをMartin氏が示すような条件でBrabender測定を行なったとして，Martin氏の示すBrabender曲線を得ることは奇異である（平成２１年８月２０日の上申書など）。
（オ）Martin氏の実験で天然デンプンのBrabender曲線は０値に戻っており，奇異である（平成１８年１０月２６日の手続補正書など）。
　
（２）請求人の主張の検討
ア　刊行物１の水分含有量に関する記載について
　刊行物１に，デンプンの熱分解に関する記載があるのは事実であるが，１４０℃に達するまでの脱水の過程においては，水分を含んでいたのであるから，その間にデンプンの一部が分解していたとすれば，「炉の温度が最初に140℃に達した時点で，試料の水分含有量を測定する（０％と判明）。」との記載と，デンプンがわずかに分解するとの記載が矛盾するものではない。
　そうすると，刊行物１に，デンプンの熱分解に関する記載があることを根拠に，「炉の温度が最初に140℃に達した時点で，試料の水分含有量を測定する（０％と判明）。」との記載が事実に反するということはできない。
　よって，請求人の主張は採用することができない。
　
イ　刊行物１のデンプンの架橋に関する記載について
　上記４（１）で検討したとおり，引用発明の処理によって得られるデンプンが「架橋結合された」ものと推測される旨記載されている（摘記１ａ，１ｂ，１ｅ，１ｆ参照）が，これらの記載は，あくまでも刊行物１の著者の推測として記載されているにすぎす，実際に得られたデンプンが架橋結合されたものであることが確認されているわけではない。刊行物１に記載された内容のうち，実験手順や測定結果は，実際に実施された事実を記載したものと判断する一方で，著者が推測した考察内容については必ずしも事実と判断できないとして，刊行物１の内容を理解することに何ら不合理な点は認められない。
　そして，意見書に添付された「実験データー」や本願明細書の実施例の記載を参酌すれば，引用発明の処理によって得られるデンプンが「架橋結合された」ものでないと推認できることも上記４（１）で述べたとおりである。
　よって，請求人の主張は採用できない。
　
ウ　刊行物１の記載の信憑性について
　請求人が主張する刊行物１の記載について信憑性がないとして，提示した理由（ア）〜（オ）のうち，（イ）については，上記アで述べたとおりである。
　
　次に，理由（ア），（エ），（オ）に関しては，刊行物１の図１で得られた粘度曲線に関するものであるので，これらについて一括して検討する。
　まず，Tester氏が追試したが，Martin氏の実験結果（p1285のFig.1に示す粘度曲線）は再現できなかったとしているが，両者を比較する限り，Ｉ６，Ｉ８，対照の天然デンプンの粘度曲線の傾向は，概ね図１で示された粘度曲線と類似した傾向を示している。再現実験においては，Ｉ６とＩ８のピークの立ち上がり時間のデータは，刊行物１の図１とは一致していないが、対照より粘度低下が抑えられている点では一致している。そして，上記４（２）で検討したとおり，本願明細書では，熱抑制化されたデンプンの粘度特性に関しては，定性的・相対的な粘度の上昇・下降といった性質で説明されており，このような説明に照らすと，再現試験で得られたＩ６，Ｉ８も，本願明細書における「熱抑制された」とされる粘度特性を有するものに相当することは明らかである。
　また，刊行物１の未処理デンプンの粘度曲線についても，最終的に粘度が０となっている点に疑義があるとしても，曲線全体の形状としては，処理デンプンの粘度曲線と概ね一致するものであって，粘度の相対的な変化を把握するデータとしては図１の粘度曲線は十分信頼性があるものといえ，刊行物１の図１に示された粘度曲線の信憑性を否定するに足る根拠とはいえない。
　さらに，再現実験によれば，エピクロロヒドリンで化学架橋されたＡ，Ｂの粘度曲線が平坦になっており，粘度の上昇が認められないとしているが，架橋デンプンの粘度ピークの上昇が未処理のデンプンよりは遅れるという点では，再現実験の結果は，図１の粘度曲線と同じ傾向を示しているともいえ，再現実験の結果から図１の粘度曲線のデータが必ずしも不自然ということはできないし，この実験結果がＩ６，Ｉ８の粘度曲線の信憑性を左右するものであるともいえない。
　したがって，追試で刊行物１の図１と全く同じ粘度曲線が得られていないからといって，刊行物１の図１の結果が信憑性がないことにはならない。
　
　理由（ウ）についてみると，追試の結果では，Martin氏が作成したデンプン層よりもさらに薄い層を調製して実験を行なうと，水分含量０％を達成することはできなかったとしているが，それでも水分含量は０．９％まで減少しており，本願発明の「１重量％未満の水分量含量となるまで脱水する」という構成要件は満たしているといえる。
　そうすると，少なくとも引用発明と本願発明において，この点において，何の相違もないのであるから，理由（ウ）は，本願発明のデンプンと引用発明の処理で得られたデンプンとが異なる理由とはならない。
　よって，請求人の主張はいずれも採用できない。
　
第５　むすび
　以上のとおり，本願発明は，刊行物１に記載された発明であるから，特許法第２９条第１項第３号に該当し，特許を受けることができないものである。
　よって，結論のとおり審決する。